(57)【要約】【課題】計量カップ格納時に、計量カップが下方へ脱落しない液体タンク装置を提供することを課題とする。【解決手段】液体を貯留する液体タンクと、液体タンクの注入口に着脱可能に装着された筒状体６と、液体タンク内に配置された有底筒状の計量カップ４と、を具備した液体タンク装置であって、筒状体６内に設けられ上方へ突出するリブ１９ａに、下方を向く計量カップ４の開放端部２３側を被せ計量カップ４の内周面を当接させることによって、計量カップ４を装着する。このため、計量カップ４格納時に、計量カップ４が下方へ脱落することはない。【選択図】図５
2019154364.tif 000002
【特許請求の範囲】
【請求項１】
液体を貯留する液体タンク（２）と、前記液体タンク（２）の注入口に着脱可能に装着された筒状体（６）と、前記液体タンク（２）内に配置された有底筒状の計量カップ（４）と、を具備した液体タンク装置であって、
前記筒状体（６）内に設けられて上方へ突出し、下方を向く前記計量カップ（４）の開放端部（２３）側が被せられて前記計量カップ（４）の内周面に当接し前記計量カップ（４）を着脱可能に装着するリブ（１９ａ）を有することを特徴とする液体タンク装置。
【請求項２】
前記筒状体（６）の軸心から放射状に延び当該筒状体（６）に連結された複数の骨部材（１１）を備え、リブ（１９ａ）は、骨部材（１１）上に設けられ、骨部材（１１）に沿って径方向外方且つ上方へ突出していることを特徴とする請求項１記載の液体タンク装置。
【請求項３】
前記筒状体（６）と同軸の円環状に構成され前記各骨部材（１１）に連結されて上方へ突出する立設部（１８）を備え、
前記立設部（１８）は、前記リブ（１９ａ）の前記骨部材（１１）に沿う径方向内側部分を連結することを特徴とする請求項２記載の液体タンク装置。
【請求項４】
前記筒状体（６）の下部で前記骨部材（１１）の下側に一体で設けられ、前記液体タンク（２）に貯留される液体に接し、当該液体の流動に抵抗を与える抵抗部（８）を備えることを特徴とする請求項２又は３記載の液体タンク装置。
【請求項５】
前記抵抗部（８）の上側に設けられ、前記筒状体（６）内を通過した液体を濾過する濾過部（７）を備えたことを特徴とする請求項４記載の液体タンク装置。
【請求項６】
前記計量カップ（４）の底部の中央に設けられた凹部（２５）と、
前記筒状体（６）内の軸心位置で前記骨部材（１１）の基端上に設けられて上方へ突出し、前記凹部（２５）に進入可能な凸部（１７）と、を備えたことを特徴とする請求項１〜５の何れか一項に記載の液体タンク装置。
【発明の詳細な説明】
【技術分野】
【０００１】
本発明は、液体タンク装置に関する。
【背景技術】
【０００２】
従来、農作物に薬液を散布する背負式動力噴霧機においては、噴霧すべき農薬等の薬液が貯留された薬液タンク（液体タンク）を備え、作業者に背負われた状態で使用される。このような背負式動力噴霧機は、農薬を溶かす水を農業用水路等から直接使用することも多く、薬液タンク内に、異物を除去し濾過するためのストレーナが、薬液タンクの注入口に着脱可能に装着されている。
【０００３】
薬液タンクに貯留される薬液は、濃縮薬液を一般的には水で所望の希釈倍率となるよう希釈したものである。薬液タンクは通常、半透明又は透明であり、薬液タンク内の液面を目視できるので、水についてはその液面が薬液タンクのある特定の位置に達するまで注入することで、所定量とすることができる。この水の注入は、異物の混入を防止するために、ストレーナを通して行う。一方、濃縮薬液は少量であるので、計量カップを用いて計量する。
【０００４】
以下の特許文献１にあっては、タンク蓋の内面に円筒状の係合部が突設されると共に、この係合部の内周面に突起が形成されている。また、計量カップの底部には円筒部が設けられると共に、この円筒部の外周面に環状溝が形成されている。そして、計量カップ格納時に、タンク蓋の内面側の突起に、計量カップの底部側の環状溝を係止することにより、計量カップがタンク蓋の内面側に着脱可能に装着されるようになっている。従って、計量カップを紛失し難く、さらに計量カップの容量を大きくできるとされている。
【先行技術文献】
【特許文献】
【０００５】
【特許文献１】特開２００６−１４６０７号公報
【発明の概要】
【発明が解決しようとする課題】
【０００６】
しかしながら、特許文献１に記載のものにあっては、計量カップ格納時に、計量カップがタンク蓋に宙吊り状態にされているため、部品の精度（部品の出来映え）や、経年使用による変形によりタンク蓋から下方へ脱落の虞がある。
【０００７】
本発明は、このような課題を解決するために成されたものであり、計量カップ格納時に、計量カップの下方へ脱落の虞がない液体タンク装置を提供することを目的とする。
【課題を解決するための手段】
【０００８】
本発明による液体タンク装置は、液体を貯留する液体タンク（２）と、液体タンク（２）の注入口に着脱可能に装着された筒状体（６）と、液体タンク（２）内に配置された有底筒状の計量カップ（４）と、を具備した液体タンク装置であって、筒状体（６）内に設けられて上方へ突出し、下方を向く計量カップ（４）の開放端部（２３）側が被せられて計量カップ（４）の内周面に当接し計量カップ（４）を着脱可能に装着するリブ（１９ａ）を有することを特徴としている。
【０００９】
このような液体タンク装置によれば、筒状体（６）内に設けられ上方へ突出するリブ（１９ａ）に、下方を向く計量カップ（４）の開放端部（２３）側が被せられ計量カップ（４）の内周面が当接することによって、計量カップ（４）が装着されるため、計量カップ（４）格納時に、計量カップ（４）が下方へ脱落することはない。
【００１０】
ここで、筒状体（６）の軸心から放射状に延び当該筒状体（６）に連結された複数の骨部材（１１）を備え、リブ（１９ａ）は、骨部材（１１）上に設けられ、骨部材（１１）に沿って径方向外方且つ上方へ突出していると、この骨部材（１１）によりリブ（１９ａ）を筒状体６にしっかりと支持することができる。
【００１１】
また、筒状体（６）と同軸の円環状に構成され各骨部材（１１）に連結されて上方へ突出する立設部（１８）を備え、立設部（１８）は、リブ（１９ａ）の骨部材（１１）に沿う径方向内側部分を連結する構成であると、この立設部（１８）によりリブ（１９ａ）を補強できる。
【００１２】
また、筒状体（６）の下部で骨部材（１１）の下側に一体で設けられ、液体タンク（２）に貯留される液体に接し、当該液体の流動に抵抗を与える抵抗部（８）を備えていると、この抵抗部（８）により骨部材（１１）を補強できる。また、抵抗部（８）により液体の波立ちや重心移動を抑制できる。
【００１３】
また、抵抗部（８）の上側に設けられ、筒状体（６）内を通過した液体を濾過する濾過部（７）を備えていると、液体タンク（２）に貯留される液体に異物が混入することを防止できる。
【００１４】
また、計量カップ（４）の底部の中央に設けられた凹部（２５）と、筒状体（６）内の軸心位置で骨部材（１１）の基端上に設けられて上方へ突出し、前記凹部（２５）に進入可能な凸部（１７）と、を備えていると、計量カップ（４）による計量時に、計量カップ（４）を逆さにすると、筒状体（６）内の中央に設けられ上方へ突出する凸部（１７）が、計量カップ（４）の底部の中央の凹部（２５）に進入するため、計量カップ（４）を筒状体（６）内に定置でき、計量カップ（４）への液体の投入を容易にできる。
【発明の効果】
【００１５】
このように本発明によれば、計量カップ格納時に、計量カップが下方へ脱落しない液体タンク装置を提供できる。
【図面の簡単な説明】
【００１６】
【図１】本発明の実施形態に係る液体タンク装置を適用した背負式動力噴霧機を示す斜視図である。
【図２】図１の背負式動力噴霧機に用いられるストレーナを示す側面図である。
【図３】図２のストレーナを斜め上方から見た斜視図であり、格納時の計量カップと共に示す斜視図である。
【図４】図３の一部破断斜視図である。
【図５】図２〜図４の縦断面図である。
【図６】ストレーナを斜め上方から見た斜視図である。
【図７】図６の平面図である。
【図８】計量カップによる計量時のストレーナを示す縦断面図である。
【発明を実施するための形態】
【００１７】
以下、本発明に係る液体タンク装置の好適な実施形態について、添付図面を参照しながら説明する。ここでは、特に好適であるとして、液体タンク装置を、薬液を散布する背負式動力噴霧機に適用した場合について説明する。図１は、本発明の実施形態に係る液体タンク装置を適用した背負式動力噴霧機を示す斜視図、図２は、ストレーナを示す側面図、図３は、ストレーナを斜め上方から見た斜視図であり、格納時の計量カップと共に示す斜視図、図４は、図３の一部破断斜視図、図５は、図２〜図４の縦断面図、図６は、ストレーナを斜め上方から見た斜視図、図７は、図６の平面図、図８は、計量カップによる計量時のストレーナを示す縦断面図である。
【００１８】
図１に示すように、背負式動力噴霧機１は、作業者に背負われる背負部となる薬液タンク（液体タンク）２と、薬液タンク２を作業者が背負うための左右一対の背負バンドと、を具備する。なお、ここでは、背負バンドは取り外されて描かれていない。
【００１９】
薬液タンク２は、内部に薬液を貯留するものであり、下部が前方（図１の右側；作業者が背負う側）へ凹む形状を呈する。この凹部はブラケット３により覆われ、ブラケット３内に、動力源を構成するポンプ及びモータが薬液タンク２に固定されるようにして収容される。そして、ポンプの駆動により薬液タンク２から薬液が吸引され、噴霧ホースに圧送され、噴霧ノズルから薬液の散布が可能となっている。なお、ここでは、噴霧ホース、噴霧ノズル等は取り外されて描かれていない。
【００２０】
このような背負式動力噴霧機１には、薬液タンク装置（液体タンク装置）が付設されている。この薬液タンク装置は、図１に示す薬液タンク２と、薬液タンク２のタンク蓋（キャップ）３４の下に着脱可能に装着されたストレーナ５（図２〜図７参照）と、薬液タンク２内に配置された有底筒状の計量カップ４（図２〜図４参照）と、備えている。
【００２１】
薬液タンク２は、半透明の合成樹脂からなり、内部の液体の量を外部から視認することができる。薬液タンク２の上部には、薬液タンク２の内部に液体を注入するための注入口が形成され、この注入口を形成する円筒部の外周面に対して、タンク蓋３４が例えば螺子等により着脱可能に装着される。
【００２２】
また、薬液タンク２の注入口よりも下方の位置には、径方向内側に突出する段差部が設けられており、注入口の内側にストレーナ５を落とし込むと、この段差部に、ストレーナ５の上端部外周に形成された円環状の段差部９（図２〜図７参照）が係止され、タンク蓋３４を開け閉めすることにより、ストレーナ５が薬液タンク２に着脱可能に装着されるようになっている。
【００２３】
ストレーナ５は、図２〜図７に示すように、注入口に挿入される略円筒形の筒状体６と、この筒状体６の底部に連設され当該筒状体６内を通過した液体から異物を除去し濾過するための濾過部７と、濾過部７の下部に連設され下方へ延びる抵抗部８と、を備えている。筒状体６及び濾過部７並びに抵抗部８は合成樹脂から一体成形されている。
【００２４】
筒状体６は下部へ行くに従って徐々に縮径する円筒形状に構成されている。筒状体６の下端は、全周が内側に多少折曲された折曲部１０（図３、図４、図６及び図７参照）とされ、図７に示すように、筒状体６の軸心から平板状の複数本（ここでは６本）の骨部材１１が放射状に延びて折曲部１０に連結されている。筒状体６の軸心と折曲部１０との間には、図４及び図７に示すように、筒状体６の軸心と同軸に位置し平板状を呈し円環状をなす円環状骨部材１２が設けられている。この円環状骨部材１２は、骨部材１１に連結されている。従って、図７に示すように、隣接する骨部材１１，１１同士で囲まれ周方向に沿って並ぶ複数の扇状の開口部が、円環状骨部材１２によって内周側と外周側に分断され、内側の開口部１３と外側の開口部１４とに分けられている。そして、これらの開口部１３，１４にメッシュＭ（図３、図４、図６及び図７参照）が張設されることにより、異物を除去し濾過する濾過部７が構成される。なお、図３、図４、図６及び図７においては、図が煩雑になるのを避けるために、一部の開口部のみにメッシュＭが描かれている。
【００２５】
筒状体６の軸心位置で複数の骨部材１１の始点位置（基端）には、図４及び図７に示すように、軸芯部１５が立設され、この軸芯部１５に連結されて上方へ長尺に延びると共に、各骨部材１１に連結され各骨部材１１に沿ってそれぞれ短尺に外側へ延びる平板１６を備えた凸部１７（図５も参照）が設けられている。この凸部１７は、薬液計量時に、計量カップ４を定置させるためのものでる。
【００２６】
円環状骨部材１２及びこれに交差する骨部材１１上には、図４、図７及び図８に示すように、上方へ突出する立設部１８が設けられている。立設部１８は平板を円形状に丸めたものであり、リブ１９ａを補強するためのものである。図７に示すように、円環状骨部材１２と骨部材１１が交差する位置の立設部１８の外内面には、図４〜図７に示すように、骨部材１１に立設されたリブ１９ａ，１９ｂが連結される。内周面側のリブ１９ｂは、骨部材１１に沿って径方向内方且つ上方へ突出して側面視直角三角形状を呈しリブ１９ａの補強の役目を果たす。外周面側のリブ１９ａは、骨部材１１に沿って径方向外方且つ上方へ突出しており、外面に抜き勾配を有し多少傾斜する板状部材の形状を呈する。
【００２７】
図３、図４及び図６に示すように、濾過部７下方、より具体的には、筒状体６の下部で骨部材１１の下側には、抵抗部８（図２も参照）が一体で設けられている。抵抗部８は、薬液タンク２内の薬液に抵抗を与えるものであり、図４に示すように、複数本の骨部材１１の交点から筒状体６と同軸に下方に延びている軸芯部２０と、この軸芯部２０から放射状に延びる複数枚（ここでは６枚）の略長方形状の板状体２１と、を備えている。これらの抵抗部８は、薬液タンク２内の所定量の薬液に接し、これに抵抗を与えることとなる。
【００２８】
計量カップ４は、図３〜図５に示すように、有底円筒状に構成され、開放端部側へ向かうに従い徐々に拡径する拡径部２２が大半を占め、その開放端部２３が、湾曲しながら末広がりとなる（外側へ広がる）形状とされている。湾曲する開放端部２３と拡径部２２との間の部分の内周面は、垂直面２４に構成され（図５及び図８参照）、リブ１９ａの外周面と嵌合するための面となっている。また、図３〜図５に示すように、計量カップ４の底部の中央には、内側へ凹む凹部２５が、凸部１７の進入を可能とするものとして設けられている。
【００２９】
次に、このように構成された液体タンク装置の作用について説明する。計量カップ４の格納時には、作業者は、図４及び図５に示すように、計量カップ４の湾曲する開放端部２３側を下方へ向け、筒状体６の立設部１８及びリブ１９ａ上に被せていく。すると、図５に示すように、筒状体６の垂直面２４が、リブ１９ａの外周面に嵌合し固定される。このとき、リブ１９ａは、抜き勾配の傾斜面となっていて、垂直面２４に対して勾配が多少急になっているため、計量カップ４を奥（下方）に押し込んで固定できる。
【００３０】
一方、作業に供すべく計量カップ４による計量時には、作業者は、計量カップ４をリブ１９ａから上方へ抜き出し逆さにする。そして、図８に示すように、計量カップ４の底部の中央の凹部２５に、筒状体６の中央の凸部１７が進入するように載置する。これにより、計量カップ４が筒状体６内で定置される。次いで、作業者は、計量カップ４内に薬液を入れ、この状態で、筒状体６内に水を投入する。これにより、薬液と水が合わさりながら計量カップ４から溢れるため、手を汚さずに薬液を混合できる。このとき、立設部１８より外側の濾過部７は計量カップ４に塞がれずに露出しているため、ストレーナとして機能する。勿論、立設部１８より内側の濾過部７への進水分は、内側の濾過部７により濾過できる。なお、図３に示す計量カップ４格納時に、水を注入口から注入した場合も、外側の濾過部７で濾過できる。
【００３１】
このように、本実施形態においては、筒状体６内に設けられ上方へ突出するリブ１９ａに、下方を向く計量カップ４の開放端部２３側が被せられ計量カップ４の内周面が当接することによって、計量カップ４が装着されるため、計量カップ４格納時に、計量カップ４が下方へ脱落することはない。
【００３２】
また、筒状体６の軸心から放射状に延び当該筒状体６に連結された複数の骨部材１１を備え、リブ１９ａは、骨部材１１上に設けられ、骨部材１１に沿って径方向外方且つ上方へ突出しているため、この骨部材１１によりリブ１９ａを筒状体６にしっかりと支持することができる。
【００３３】
また、筒状体６と同軸の円環状に構成され各骨部材１１に連結されて上方へ突出する立設部１８を備え、立設部１８は、リブ１９ａの骨部材１１に沿う径方向内側部分を連結する構成のため、この立設部１８によりリブ１９ａを補強できる。
【００３４】
また、筒状体６の下部で骨部材（１１）の下側に一体で設けられ、液体タンク２に貯留される液体に接し、当該液体の流動に抵抗を与える抵抗部８を備えているため、この抵抗部８により骨部材１１を補強できる。また、抵抗部８により液体の波立ちや重心移動を抑制できる。
【００３５】
また、抵抗部８の上側に設けられ、筒状体６内を通過した液体を濾過する濾過部７を備えているため、液体タンク２に貯留される液体に異物が混入することを防止できる。
【００３６】
また、計量カップ４による計量時に、計量カップ４を逆さにすると、筒状体６内の中央に設けられ上方へ突出する凸部１７が、計量カップ４の底部の中央の凹部２５に進入するため、計量カップ４を筒状体６内に定置でき、計量カップ４への液体の投入を容易にできる。
【００３７】
また、計量カップ４側に、装着用のリブがないため、計量カップ４に注いだ液体量の確認がしやすく、作業性が良い。
【００３８】
以上、本発明をその実施形態に基づき具体的に説明したが、本発明は上記実施形態に限定されるものではなく、例えば、上記実施形態においては、特に好適であるとして、計量カップ４をリブ１９ａに嵌合させているが、嵌合以外の係合等による装着であっても良い。
【００３９】
また、計量カップ４を格納するためのリブ１９ａ等を有する筒状体６と、例えばメッシュ等の濾過部７を有する部材とが、別体で連結されるストレーナに対しても適用できる。
【００４０】
また、上記実施形態においては、特に好ましいとして、抵抗部８を設けているが、抵抗部８はなくても良い。
【００４１】
また、上記実施形態においては、特に好ましいとして、背負式動力噴霧機１に対する適用例を述べているが、液体タンク装置を備える背負式作業機全てに適用可能であり、また、牽引式、クローラ式、前後輪により走行し液体タンク装置を有する車両に対しても適用できる。
【符号の説明】
【００４２】
２…薬液タンク（液体タンク）、４…計量カップ、６…筒状体、７…濾過部、８…抵抗部、１１…骨部材、１７…凸部、１８…立設部、１９ａ…リブ、２３…開放端部、２５…凹部。
【図１】
2019154364.tif 000003
【図２】
2019154364.tif 000004
【図３】
2019154364.tif 000005
【図４】
2019154364.tif 000006
【図５】
2019154364.tif 000007
【図６】
2019154364.tif 000008
【図７】
2019154364.tif 000009
【図８】
2019154364.tif 000010